(57)【要約】【課題】部品点数や寸法の増加を招くことなく内部空間への虫の進入を防ぐ。【解決手段】枠６の内周面においては第一の段部６１と第二の段部６２とが連続して設けられている。故に、枠６並びにカバー５を器具本体１に取り付けた状態では、図１（ｂ）に示すように第一の段部６１に圧接された防虫パッキン７の端部が第二の段部６２の方にはみ出してカバー５の周縁上端にも圧接されることになる。その結果、枠６と器具本体１（外鍔部１２）との隙間だけでなく、枠６とカバー５との隙間も防虫パッキン７で塞ぐことができる。【選択図】図１
2008112668.tif 000002
【特許請求の範囲】
【請求項１】
ランプソケットを保持して造営面に固定される器具本体と、外周を囲うように器具本体に着脱自在に取り付けられる枠と、透光性を有し枠に固定されてランプソケットに装着されたランプを覆うカバーと、弾性材料製であって器具本体と枠並びにカバーとの隙間を塞ぐ防虫パッキンとを備え、
枠は、器具本体の周縁が係止される第一の段部と、第一の段部から連続しカバーの周縁が係止される第二の段部とが内周面に設けられ、
防虫パッキンは、第一の段部に圧接されるとともに第二の段部に係止されたカバーの周縁にも圧接されることを特徴とする照明器具。
【請求項２】
器具本体は、周縁から外側に突出し且つ先端が鈎形に曲げられてなる外鍔部を有し、外鍔部の先端部内側に防虫パッキンが配設されたことを特徴とする請求項１記載の照明器具。
【発明の詳細な説明】
【技術分野】
【０００１】
本発明は、照明器具に関するものである。
【背景技術】
【０００２】
従来より、ランプソケットを保持して造営面に固定される器具本体と、外周を囲うように器具本体に着脱自在に取り付けられる枠と、透光性を有し枠に固定されてランプソケットに装着されたランプを覆うカバーと、弾性材料製であって器具本体と枠の隙間を塞ぐ防虫パッキンとを備えた照明器具が提供されている（例えば、特許文献１参照）。
【０００３】
特許文献１に開示された従来例は天井直付け形の照明器具であって、図４に示すように略方形の器具本体１００に、この器具本体１００の下面開口部を覆うセード（カバー）１０２を取付枠（枠）１０３で取り付けている。器具本体１００内には、対向する両縁内側に沿って複数のセード取付ばね１０４が設けられるとともに、蛍光ランプ１０５がランプソケット１０６に装着されている。そして、取付枠１０３上部の断面Ｌ型を為す各縁部１０３ａ，１０３ｂには、弾性変形自在な防虫パッキン１０７，１０８がそれぞれ取り付けられている。この従来例では、取付枠１０３上部の縁部１０３ａ，１０３ｂに取り付けられた防虫パッキン１０７，１０８に器具本体１００の左右両縁１００ａが圧接されることで器具本体１００と枠１０３との隙間が塞がれるので、かかる隙間から器具本体１００、枠１０３、カバー１０２で囲まれた内部空間に虫が進入するのを防止することができる。
【特許文献１】実開昭６０−１５６６１０号公報（第２頁乃至第３頁並びに第１図）
【発明の開示】
【発明が解決しようとする課題】
【０００４】
しかしながら、上記従来例では枠１０３とカバー１０２との間に生じる隙間については何ら考慮されておらず、かかる隙間を塞いで虫の侵入を防ぐためには別途防虫パッキンを追加する必要があり、部品点数が増加するとともに防虫パッキンを追加することで器具全体の寸法も増してしまうという問題があった。
【０００５】
本発明は上記事情に鑑みて為されたものであり、その目的は、部品点数や寸法の増加を招くことなく内部空間への虫の進入を防ぐことができる照明器具を提供することにある。
【課題を解決するための手段】
【０００６】
請求項１の発明は、上記目的を達成するために、ランプソケットを保持して造営面に固定される器具本体と、外周を囲うように器具本体に着脱自在に取り付けられる枠と、透光性を有し枠に固定されてランプソケットに装着されたランプを覆うカバーと、弾性材料製であって器具本体と枠並びにカバーとの隙間を塞ぐ防虫パッキンとを備え、枠は、器具本体の周縁が係止される第一の段部と、第一の段部から連続しカバーの周縁が係止される第二の段部とが内周面に設けられ、防虫パッキンは、第一の段部に圧接されるとともに第二の段部に係止されたカバーの周縁にも圧接されることを特徴とする。
【０００７】
請求項２の発明は、請求項１の発明において、器具本体は、周縁から外側に突出し且つ先端が鈎形に曲げられてなる外鍔部を有し、外鍔部の先端部内側に防虫パッキンが配設されたことを特徴とする。
【発明の効果】
【０００８】
請求項１の発明によれば、枠の内周面に設けられた第一の段部と第二の段部にそれぞれ器具本体とカバーが係止された取付状態においては、弾性材料製の防虫パッキンが第一の段部並びにカバーの周縁の双方に圧接されるため、器具本体と枠の間の隙間と枠とカバーの間の隙間の両方が共通の防虫パッキンで塞がれることとなり、部品点数や寸法の増加を招くことなく内部空間への虫の進入を防ぐことができる。
【０００９】
請求項２の発明によれば、周縁から外側に突出し且つ先端が鈎形に曲げられてなる外鍔部を器具本体に有し、外鍔部の先端部内側に防虫パッキンが配設されているので、外鍔部を枠の内周面に当接させて位置決めすることができる。
【発明を実施するための最良の形態】
【００１０】
図１〜図３を参照して本発明の実施形態を詳細に説明する。本実施形態は、環形の二重管形蛍光ランプ（以下、蛍光ランプと略す。）Ｌａを光源とする天井直付け形の照明器具であって、後述する固定金具９を用いて天井に取り付けられる器具本体１と、器具本体１に保持されるランプソケット２と、蛍光ランプＬａを支持する支持ばね３と、ランプソケット２を介して蛍光ランプＬａに高周波電力を供給して点灯させる蛍光灯電子安定器４と、器具本体１の下面側に取り付けられるカバー５と、カバー５の周縁を覆う枠６とを備えている。
【００１１】
器具本体１は、矩形平板状の金属板からなる本体１０と、アクリル樹脂のような透光性を有する合成樹脂材料により角錐台筒状に形成された上カバー１１とで構成されている。上カバー１１の上底面には内向きに突出する内鍔部１１ａが設けられ、上底面の開口を塞ぐようにして本体１０が内鍔部１１ａにねじ止めされる。本体１０の中央には円形の貫通孔１０ａが設けられ、貫通孔１０ａの周囲には一対の円弧状のだるま孔１０ｂ，１０ｂが貫通孔１０の中心と同心円上に且つ互いに貫通孔１０ａを挟んで対向する位置に設けられている。蛍光灯電子安定器４はプリント配線板（図示せず）に電子部品を実装したものを金属製のケースに収納して構成されており、本体１０の下面にねじ止めして固定されている。また、ランプソケット２と支持ばね３とは、貫通孔１０ａの中心と同心円上且つ互いに貫通孔１０ａを挟んで対向する位置にねじ止めされており、ランプソケット２には蛍光灯電子安定器４から導出された複数の出力線４０が接続されている。また、蛍光灯電子安定器４には一対の電源線４１が導入されており、かかる電源線４１の先端には天井に配設されている引掛シーリングボディ２００と接続される引掛シーリングキャップ４２が付設されている。
【００１２】
上カバー１１の下端縁には外側に突出し且つ先端が下方へ折曲されて鈎形となった外鍔部１２が全周に渡って形成され、かかる外鍔部１２の下面内側に防虫パッキン７が接着固定されている。この防虫パッキン７は、スポンジのような弾性材料で角柱状に形成され、合計４本が上カバー１１の外鍔部１２の各辺に互いに隙間無く固定されている。なお、防虫パッキン７の下部が外鍔部１２より下方へ突出させてある。
【００１３】
カバー５は、アクリル樹脂のような透光性を有する合成樹脂材料により、周縁から中央に向かって下方に膨出した角皿状に形成され、その周縁には外側に突出するフランジ部５０が全周に渡って一体に形成されている。
【００１４】
枠６は木製であって、両端がほぼ４５度に切断された長尺の４本の角材６０を互いの端面同士を突き合わせ且つ結合することで正方形状に形成されている。また、枠６の内周面には上から下に向かって内側に突出する連続した２つの段部が設けられており、上側の段部（以下、第一の段部と呼ぶ。）６１に器具本体１（実際は防虫パッキン７）が係止され、下側の段部（以下、第二の段部と呼ぶ。）６２にカバー５のフランジ部５０が係止される。ここで、第一の段部６１には上下方向で第二の段部６２に重なる複数（３つ）の外れ防止金具６３がねじ止めされており、かかる外れ防止金具６３によって第二の段部６２とフランジ部５０の係止が外れるのを防ぎ、さらに枠６からカバー５が脱落するのを防止している。なお、外れ防止金具６３の一つには紐６４の一端がねじ止めされ、かかる紐６４の先端には略Ｓ字状の引掛金具６５が結び付けられている。
【００１５】
また、枠６の各辺（角材６０）の中央には、第一の段部６１に係止された外鍔部１２の上面に当接して器具本体１に枠６を取り付ける合計４つの取付金具８が回動自在に設けられている。取付金具８は金属板を加工してなり、ねじ８ｂによって一端部が枠６上面に回動自在に固定され、片側の周縁から立ち上げられた摘み片８ａが指で摘まれて回動操作される。
【００１６】
次に、本実施形態の照明器具を天井に取り付けるための施工手順について説明する。
【００１７】
まず、天井に配設されている引掛シーリングボディ２００を内側に配置する形で略円環状の固定金具９を木ねじで天井に固定する。固定金具９には一対の耳片９ａが天井と平行するように外向きに突設されており、これら一対の耳片９ａに形成されたねじ孔（図示せず）に固定ねじ９ｃを螺合し、本体１０のだるま孔１０ｂに固定ねじ９ｃを挿通して締め付けることよって器具本体１を固定金具９に固定する。そして、本体１０中央の貫通孔１０ａに挿通された引掛シーリングボディ２００に引掛シーリングキャップ４２を接続し、さらにランプソケット２に蛍光ランプＬａの口金を接続するとともに支持ばね３に蛍光ランプＬａを支持させる。
【００１８】
続いて、カバー５が取り付けられた枠６を器具本体１に取り付けるのであるが、その際、紐６４を介して枠６と結合されている引掛金具６５を本体１０に設けられている引掛孔１３に引っ掛けることで施工中の枠６の落下を防止する（図２（ａ）参照）。そして、枠６の一つの角材６０における第一の段部６１側壁に器具本体１の外鍔部１２端縁を当接し（図１（ａ）参照）、かかる当接部位を支点として枠６並びにカバー５を上方へ回転させることで第一の段部６１に防虫パッキン７を容易に係止させることができる。最後に、枠６並びにカバー５を手で支持した状態で摘み片８ａを指で押して取付金具８を回動操作すれば、器具本体１に枠６並びにカバー５を取り付けることができる。なお、蛍光ランプＬａを交換する場合、取付金具８を反対向きに回動操作し、枠６並びにカバー５を器具本体１から外せばよい。
【００１９】
ここで、枠６の内周面においては第一の段部６１と第二の段部６２とが連続して設けられているため、枠６並びにカバー５を器具本体１に取り付けた状態では、図１（ｂ）に示すように第一の段部６１に圧接された防虫パッキン７の端部が第二の段部６２の方にはみ出してカバー５の周縁上端にも圧接されることになる。その結果、枠６と器具本体１（外鍔部１２）との隙間だけでなく、枠６とカバー５との隙間も防虫パッキン７で塞ぐことができる。
【００２０】
このように本実施形態では、枠６の内周面に設けられた第一の段部６１と第二の段部６２にそれぞれ器具本体１とカバー５が係止された取付状態においては、弾性材料製の防虫パッキン７が第一の段部６１並びにカバー５の周縁の双方に圧接されるため、器具本体１と枠６の間の隙間と枠６とカバー５の間の隙間の両方が共通の防虫パッキン７で塞がれることとなり、従来例のように枠６とカバー５の間の隙間を塞ぐために別の防虫パッキンを追加する必要が無いから、部品点数や寸法の増加を招くことなく内部空間への虫の進入を防ぐことができる。また上述の施工手順で説明したように、外鍔部１２を枠６の内周面に当接させて器具本体１を水平方向（図１における左右方向）に位置決めすることができる。
【図面の簡単な説明】
【００２１】
【図１】本発明の実施形態１を示し、（ａ）は器具本体に枠を取り付ける途中の要部断面図、（ｂ）は器具本体に枠を取り付けた状態の要部断面図である。
【図２】同上における器具本体を示し、（ａ）は正面図、（ｂ）は側面断面図である。
【図３】同上における枠並びにカバーを示し、（ａ）は正面図、（ｂ）は側面断面図である。
【図４】従来例を示す要部断面図である。
【符号の説明】
【００２２】
１  器具本体
２  ランプソケット
５  カバー
６  枠
７  防虫パッキン
１０  本体
１１  上カバー
１２  外鍔部
６１  第一の段部
６２  第二の段部
【図１】
2008112668.tif 000003
【図２】
2008112668.tif 000004
【図３】
2008112668.tif 000005
【図４】
2008112668.tif 000006